(57)【要約】【課題】十分な記憶容量を備えた小型の情報記録媒体が添付され、当該情報記録媒体を、内容物を開封状態にすることなく取り出すことができるとともに容易に再生することのできる、包装容器を提供する。【解決手段】包装容器は、複数のフィルムが、内容物の充填される空間を形成する第１の部分と、前記空間に対するシール領域を有するように前記第１の部分に隣接して拡がる第２の部分と、を有するように接合された状態に形成されたパウチと、前記パウチの前記第２の部分に設けられた封入領域に封入された、ＵＳＢメモリあるいはカード型メモリからなる情報記録媒体とを備えている。【選択図】図１
2013056681.tif 000002
【特許請求の範囲】
【請求項１】
複数のフィルムが、内容物の充填される空間を形成する第１の部分と、前記空間に対するシール領域を有するように前記第１の部分に隣接して拡がる第２の部分と、を有するように接合された状態に形成されたパウチと、
前記パウチの前記第２の部分に設けられた封入領域に封入された、ＵＳＢメモリあるいはカード型メモリからなる情報記録媒体とを備えていることを特徴とする包装容器。
【請求項２】
前記封入領域が２分割されて開封されるように前記封入領域の破断を導く開封ノッチが、前記パウチの周縁に形成されていることを特徴とする請求項１に記載の包装容器。
【請求項３】
前記情報記録媒体は、前記情報記録媒体を情報再生機器に接続するためのコネクタを備えており、
前記情報記録媒体は、前記封入領域が２分割されることにより生じる２つの部分領域の一方側に前記コネクタ側の端部が位置するとともに、前記コネクタの前記情報再生機器へ接続される向きが前記２つの部分領域の他方側から前記一方側へと向くように、前記封入領域に封入されていることを特徴とする請求項２に記載の包装容器。
【請求項４】
前記２つの部分領域の前記他方側に位置する前記情報記録媒体の少なくとも一部の筐体が前記パウチに溶着されていることを特徴とする請求項３に記載の包装容器。
【請求項５】
前記第２の部分は、前記封入領域を開封するために切除される第１のタブと、前記空間を開封するために切除される第２のタブとを備えており、
前記パウチを正面視した場合に、前記第２のタブは前記空間に対するトップシールを形成するように設けられているとともに、前記第１のタブは前記パウチの一方のサイドエッジを含む位置で前記第２のタブの上部側に隣接するように設けられており、
前記封入領域の破断を導く開封ノッチとして、前記第１のタブと前記第２のタブとの境界の前記サイドエッジ上にある一端を規定する第１の開封ノッチと、前記境界の他端を規定する第２の開封ノッチとが形成されていることを特徴とする請求項２から４までのいずれか１項に記載の包装容器。
【請求項６】
前記境界上の前記第１の開封ノッチと前記第２の開封ノッチとの中間位置に、前記第１の開封ノッチとの間に前記封入領域を挟むように貫通孔が形成されていることを特徴とする請求項５に記載の包装容器。
【請求項７】
前記パウチの前記封入領域を覆っている少なくとも１つのフィルムは、透明な領域を有していることを特徴とする請求項１から６までのいずれか１項に記載の包装容器。
【請求項８】
前記パウチの前記封入領域を覆っている少なくとも１つのフィルムは、ガスバリア性の透明樹脂層を有していることを特徴とする請求項１から６までのいずれか１項に記載の包装容器。
【請求項９】
前記透明樹脂層の内層側に、前記透明樹脂層のシール温度よりも低温で前記封入領域を形成するヒートシールを行うことのできる低温シール層が設けられていることを特徴とする請求項８に記載の包装容器。
【請求項１０】
前記情報記録媒体の筐体が耐熱性樹脂によってコーティングされていることを特徴とする請求項１から８までのいずれか１項に記載の包装容器。
【発明の詳細な説明】
【技術分野】
【０００１】
本発明は、内容物が密封充填される包装容器に関し、より特定的には、内容物に加えて情報記録媒体が添付されたパウチを備える包装容器に関する。
【背景技術】
【０００２】
従来、食料品、飲料品、日用品、医薬品などを収容する包装容器に、これら内容物に加えて情報記録媒体を添付する技術が開示されている。当該情報記録媒体には、商品情報、キャンペーン情報、映像、音楽、ゲームといった商品の購入者に対して提供する情報が格納されている。購入者は、購入商品の開梱とともに情報記録媒体の取り出しが可能であり、情報記録媒体を再生機器で再生することにより、製造元あるいは販売元から提供された情報を取得することができる。
【０００３】
特許文献１には、図９に示すように、カップ本体１０１の中に商品１０２と個包装された情報記録媒体１０３とが収容されるとともに蓋体１０４によりカップ本体１０１の開口部が密封された構成の包装容器Ｐ１が記載されている。ここでは、情報記録媒体１０３としてＣＤやＤＶＤなどのディスク状の記録媒体が挙げられている。また、情報記録媒体１０３の個包装として、情報記録媒体１０３を樹脂フィルム等で作製された袋体Ｐ２の中に収納することが行われている。
【０００４】
また、上記特許文献１の技術とは別に、商品や製品に関する情報が記録された媒体が商品あるいは製品に付加される例として、包装容器にＩＣチップや無線ＩＣタグを取り付ける技術が一般的に実施されている。
【０００５】
また、情報記録媒体を添付する代わりに、包装容器に二次元バーコード等の読取りマークを印刷することも行われている。この場合には、商品の購入者に携帯端末のカメラ等を用いて当該読み取りマークを読み取らせる。そして、購入者にこれにより得たインターネットアドレスにアクセスさせることで、製造元あるいは販売元から購入者に商品情報やキャンペーン情報を提供することができる。
【先行技術文献】
【特許文献】
【０００６】
【特許文献１】特開２００６−２７７１０号公報
【発明の概要】
【発明が解決しようとする課題】
【０００７】
しかしながら、前記特許文献１の技術のように、内容物が密封される容器と同じ容器内に情報記録媒体が収容される構成では、商品の購入者は内容物を開封状態としなければ情報記録媒体から情報を取得することができない。従って、商品購入後にまず提供された情報だけを閲覧あるいは視聴して、内容物は後で開封したいという購入者の要望に応えることができない。また上記の収容態様では、購入者は、情報記録媒体の情報を再生するまでに、包装容器全体の開封を行って情報記録媒体を商品とは選別して取り出し、さらに情報記録媒体を個別の包装体から取り出してから、再生機器に装填する動作を行うこととなる。従って、購入者は、情報記録媒体を商品自体から分離するための多くのアクションを強いられ、情報再生意欲を削がれやすい。
【０００８】
一方、包装容器にＩＣチップや無線ＩＣタグを取り付けることによる情報記録媒体の添付については、これら情報記録媒体は、内容物と分離された箇所に配置され得るものの、記憶容量が小さい上に、一般の購入者がこれらの情報記録媒体を読み取る装置を有していないことから、購入者向けの汎用の情報記録媒体としては採用しにくい。また、ＣＤやＤＶＤなどのディスク状の記録媒体は、大容量であって汎用の再生装置が普及しているが、包装容器に添付するには嵩張るほどの大きさであるので、単に貼り付けたり同梱したりする程度に留まり、購入者による取り扱いの利便性を配慮した添付レイアウトを提供するまでには至っていない。
【０００９】
さらに、包装容器に二次元バーコード等の読取りマークを印刷することによる情報提供方法には、購入者に読取りマークを読み取る手間をかけさせることになるとともに、インターネットへの接続環境が整備されていない場所ではサービスを利用することができないという不都合が発生する。従って、この方法を情報記録媒体の包装容器への添付に代えることは難しい。
【００１０】
以上のように、情報記憶媒体が添付された従来の包装容器には、十分な記憶容量を備えた小型の情報記録媒体を、内容物を開封状態にすることなく取り出すことができるとともに容易に再生可能なように添付する技術が提案されていなかった。
【００１１】
本発明は、上記課題を解決するものであり、十分な記憶容量を備えた小型の情報記録媒体が添付され、当該情報記録媒体を、内容物を開封状態にすることなく取り出すことができるとともに容易に再生することのできる包装容器を提供することを目的とする。
【課題を解決するための手段】
【００１２】
本発明はパウチと情報記録媒体とを備えた包装容器である。前記パウチは、複数のフィルムが、内容物の充填される空間を形成する第１の部分と、前記空間に対するシール領域を有するように前記第１の部分に隣接して拡がる第２の部分とを有するように接合された状態に形成されている。前記情報記録媒体は、前記パウチの前記第２の部分に設けられた封入領域に封入されたＵＳＢメモリあるいはカード型メモリからなる。
【発明の効果】
【００１３】
本発明の構成によれば、ＵＳＢメモリあるいはカード型メモリという小型大容量の情報記録媒体が、パウチに設けられた封入領域に封入されることで包装容器に一体化された状態に添付されている。当該情報記録媒体は、前記封入領域を開封することにより、内容物が充填された空間を開封することなく取り出すことが可能である。また、情報記録媒体がＵＳＢメモリまたはカード型メモリであるので、包装容器から情報記録媒体を取り出した開封者は、身近な情報再生機器によって即座に情報を再生することができる。
【図面の簡単な説明】
【００１４】
【図１】本発明の実施形態に係る包装容器の外観を示す斜視図である。
【図２】図１の包装容器の一部の構成を正面から詳細に示す平面図である。
【図３】図１の包装容器をＡ−Ａ’線で切断した場合の構成を示す断面図である。
【図４】図１の包装容器から情報記録媒体を取り出すときの状態を説明する図である。
【図５】包装容器から取り出した情報記録媒体を情報再生機器に接続する状態を説明する図である。
【図６】本発明の実施形態の変形例に係る包装容器から情報記録媒体を取り出すときの状態を説明する図である。
【図７】図１の包装容器から内容物を取り出すときの状態を説明する図である。
【図８】本発明の実施形態の他の変形例に係る包装容器における情報記録媒体の封入領域の構成を示す断面図である。
【図９】従来技術を示すものであり、包装容器の構成を示す図である。
【発明を実施するための形態】
【００１５】
本発明の実施形態について図１ないし図８を用いて説明すれば以下の通りである。
【００１６】
〔包装容器の構成〕
図１に、本実施形態に係る包装容器１の外観斜視図を示す。
包装容器１は、パウチ２と情報記録媒体３とを備えている。
パウチ２は、第１の部分２ａと第２の部分２ｂとを有するように、複数のフィルムが接合されて構成されている。第１の部分２ａは、内容物が充填される空間５０を形成する。当該内容物として、食品、飲料品、シャンプー、化粧品などを始め、任意のものが対象となる。第２の部分２ｂはパウチ２に剛性を付加する部分であり、空間５０に対するシール領域を有するように第１の部分２ａに隣接して拡がる。図１では、一例としてスタンディングパウチ（自立パウチ）の形態を有するパウチ２が示されている。
【００１７】
第１の部分２ａは、開封領域２１、リクローズチャック２２、および、収容本体領域２３を、パウチ２の正面視において上部側から下部側に向かってこの順に連続して配置されるように備えている。開封領域２１は、内容物を取り出すときに空間５０を開封するための領域であり、上記正面視における水平方向に細長く延伸している。後述するように、上記正面視における開封領域２１の両側方に設けられた開封ノッチＮ３・Ｎ４により空間５０の開封が可能である。リクローズチャック２２は、開封後の空間５０を再封するために設けられた、開封領域２１に平行に細長く延伸する領域である。リクローズチャック２２は包装容器１に設けられていなくてもよい。収容本体領域２３は、開封領域２１およびリクローズチャック２２を通して充填された内容物を保持する領域であり、空間５０の大部分を形成する。
【００１８】
第２の部分２ｂは、上部シール領域２４、側部シール領域２５、および、底部シール領域２６を備えている。左右の側部シール領域をまとめて上記側部シール領域２５と呼ぶ。ここで、「上部」、「側部」、および「底部」という表現は、パウチ２の正面視における位置関係を表す。
【００１９】
上部シール領域２４は第１の部分２ａの開封領域２１に隣接しており、少なくとも開封領域２１との境界において空間５０に対するトップシールを形成している。側部シール領域２５は第１の部分２ａの左右両側に１つずつ隣接して設けられており、少なくとも第１の部分２ａとの境界において空間５０に対するサイドシールを形成している。底部シール領域２６は収容本体領域２３の底部に隣接しており、少なくとも収容本体領域２３との境界において空間５０に対するボトムシールを形成している。当該底部シール領域２６は、スタンディングパウチであるパウチ２においてはガセットを構成している。
【００２０】
上部シール領域２４は、タブ（第１のタブ）２４ａおよびタブ（第２のタブ）２４ｂを備えている。タブ２４ｂは第１の部分２ａに隣接するように配置されており、上記トップシールを含んでいる。タブ２４ａは、図２の正面図に示すように、上部シール領域２４の一方のサイドエッジＥ１を含む位置で、直線状の境界線Ｂ−Ｂ’を境にタブ２４ｂの上部側に突設して隣接するように形成されている。当該境界線Ｂ−Ｂ’は、タブ２４ａを切除するためにパウチ周縁に設けられた開封ノッチ（第１の開封ノッチ）Ｎ１と開封ノッチ（第２の開封ノッチ）Ｎ２とを結んだ直線である。
【００２１】
開封ノッチＮ１はサイドエッジＥ１上に形成されている。開封ノッチＮ２は、タブ２４ａとタブ２４ｂとの境界の、サイドエッジＥ１とは反対側の端部に形成されている。また、開封ノッチＮ１と開封ノッチＮ２との中間位置に貫通孔Ｈが形成されており、タブ２４ａの切除をいっそう容易にしている。貫通孔Ｈと開封ノッチＮ１との間に後述の情報記録媒体３が封入された封入領域２４１が挟まれている。タブ２４ａはこの封入領域２４１を開封するためのタブとして機能する。貫通孔Ｈは、例えば長軸方向が境界線Ｂ−Ｂ’に沿った細長楕円形状をなす。貫通孔Ｈの代わりに、境界線Ｂ−Ｂ’に沿ってミシン目が設けられていてもよい。
【００２２】
また、タブ２４ａとタブ２４ｂとは、上部シール領域２４の上端において、タブ２４ａの開封ノッチＮ２が底に位置するようなＶ字状の切欠きで分離されている。ここでは、特に、タブ２４ａのＶ字に沿う周縁が外に凸の滑らかな曲線形状をなしており、上記切欠きはν字状をなす。タブ２４ｂはサイドエッジＥ１とは反対側のサイドエッジＥ２まで延設されており、空間５０を開封するためのタブとして機能する。
【００２３】
なお、上述したタブ２４ａとタブ２４ｂとの境界線Ｂ−Ｂ’は、開封ノッチＮ１、貫通孔Ｈ、および開封ノッチＮ２によって規定されるものとして定めたものである。開封ノッチＮ１、貫通孔Ｈ、および開封ノッチＮ２のそれぞれは、包装容器１に必ずしも備わっている必要はなく、タブ２４ａが実際に切除されることとなった箇所がタブ２４ａとタブ２４ｂとの境界として残る。
【００２４】
上部シール領域２４にはさらに、図２に示すように、開封ノッチＮ１と貫通孔Ｈとの間にタブ２４ａとタブ２４ｂとの境界を跨ぐように設けられた、情報記録媒体３を封入する封入領域２４１が設けられている。封入領域２４１は透明カバー部分（透明な領域）２４１ａと非透明カバー部分２４１ｂとを備えている。透明カバー部分２４１ａは、例えば非透明カバー部分２４１ｂから印刷層を除去した積層構成を有するフィルムからなる。透明カバー部分２４１ａの少なくとも一部は境界線Ｂ−Ｂ’よりもタブ２４ａ側にある領域を覆っている。非透明カバー部分２４１ｂの少なくとも一部は境界線Ｂ−Ｂ’よりもタブ２４ｂ側にある領域を覆っている。これにより、情報記録媒体３が封入されていることが包装容器１の外部から目視によって認識しやすくなる。従って、購入者に情報記録媒体３が添付されていることを強くアピールすることができるとともに、封入されている情報記録媒体３の外観に基づいて得られるバージョン情報や特性の情報などを購入者に伝達することができる。なお、透明カバー部分２４１ａと非透明カバー部分２４１ｂとの境界は境界線Ｂ−Ｂ’と重なっていてもいなくてもよい。また、封入領域２４１の全体が透明カバーで覆われていてもよい。
【００２５】
情報記録媒体３は、ＵＳＢメモリあるいはカード型メモリからなる。すなわち、情報記録媒体３は、パーソナルコンピュータ、携帯端末などのコンピュータ構成を有する機器に備えられたインタフェース・コネクタへの接続によって情報再生機器に接続可能な小型大容量のメモリである。図１には情報記録媒体３としてＵＳＢメモリを備える例が示されている。これらＵＳＢメモリおよびカード型メモリとしてフラッシュメモリを内蔵したものが一般的に使用可能である。カード型メモリの形態としては、一般にメモリカードと呼ばれるフラッシュメモリを内蔵したものの他に、磁気抵抗メモリ、強誘電体メモリ、相変化メモリなど、考えられる任意の種類のメモリデバイスが使用可能である。また、カード型メモリにＵＳＢコネクタが付属していてもよい。
【００２６】
情報記録媒体３の封入領域２４１において、ここでは、情報記録媒体３のコネクタ３ａ側の端部が境界線Ｂ−Ｂ’よりもタブ２４ａ側にある領域に位置するように、また、コネクタ３ａ側とは反対側の端部が境界線Ｂ−Ｂ’よりもタブ２４ｂ側にある領域に位置するように、封入される情報記録媒体３の向きが設定されている。従って、透明カバー部分２４１ａからは、概略、情報記録媒体３のコネクタ３ａ側が見えるようになっている。
【００２７】
なお、図２は包装容器１を正面視した図であるが、図２に示された面とその反対側の面とに表裏の区別がなされない場合には、いずれの面側を正面側とみなしてもよい。
【００２８】
図３に、図１のＡ−Ａ’線断面図を示す。当該Ａ−Ａ’線断面図は、図２のように包装容器１を正面から見たときに、正面およびパウチ２の底面に垂直な平面で、封入領域２４１を通るように切断した場合の包装容器１の断面を示す。
【００２９】
パウチ２は、胴部フィルムＦ１と胴部フィルムＦ２と底部フィルムＦ３とが接合された状態に形成されている。胴部フィルムＦ１・Ｆ２には、例えば、ポリエチレンテレフタレート（ＰＥＴ）、印刷層、接着剤層、延伸ナイロン（ＯＮＹ）、および、直鎖状低密度ポリエチレン（ＬＬＤＰＥ）を積層したものを用いた。底部フィルムＦ３には、例えば、ＯＮＹ、ＬＬＤＰＥを積層したものを用いた。いずれのフィルムにおいても、最内層はシーラント層として機能するＬＬＤＰＥである。
【００３０】
胴部フィルムＦ１と胴部フィルムＦ２との接合部であるシール部Ｓ１は、ここでは、上部シール領域２４における封入領域２４１以外の全領域を構成している他、図１の側部シール領域２５の全領域を構成している。また、ここでは、胴部フィルムＦ１と底部フィルムＦ３との接合部であるシール部Ｓ２と、胴部フィルムＦ２と底部フィルムＦ３との接合部であるシール部Ｓ３とは、底部シール領域２６の全領域を構成している。シール部Ｓ１・Ｓ２・Ｓ３はヒートシールにより形成することが可能である。なお、上部シール領域２４、側部シール領域２５、および、底部シール領域２６のそれぞれにおいて、第１の部分２４ａとの境界以外の任意の部分に未シール領域が含まれていてもよい。
【００３１】
開封領域２１は、胴部フィルムＦ１と胴部フィルムＦ２とによって、内容物の取出し口として機能する空間を挟んだ状態に形成されている。内容物を取り出すときの開封は、開封領域２１の一方のサイドエッジＥ１に形成された開封ノッチＮ３と他方のサイドエッジＥ２に形成された開封ノッチＮ４とを結ぶように、開封領域２１の胴部フィルムＦ１・Ｆ２を引き裂くことで可能である。
【００３２】
リクローズチャック２２は、当該領域に対応する部分の胴部フィルムＦ１・Ｆ２と、胴部フィルムＦ１上に設けられた凸条２２ａと、胴部フィルムＦ２上に設けられた凹条２２ｂとを備えている。凸条２２ａと凹条２２ｂとの嵌合によりリクローズチャック２２の閉鎖が行われ、凸条２２ａと凹条２２ｂとの離脱によりリクローズチャック２２の開放が行われる。
【００３３】
収容本体領域２３は、リクローズチャック２２との境界を除いて胴部フィルムＦ１と胴部フィルムＦ２と底部フィルムＦ３とで空間５０を囲むように構成されている。
【００３４】
上部シール領域２４の封入領域２４１は、胴部フィルムＦ１と胴部フィルムＦ２とで上方記録媒体３を挟み込むように、情報記録媒体３の保持空間を形成している。当該保持空間の周辺部で胴部フィルムＦ１と胴部フィルムＦ２とがヒートシールによって接合されている。すなわち、封入領域２４１はシール部Ｓ１に囲まれることで規定されている。これにより、情報記録媒体３は、後述する図４あるいは図６の状態のように、封入領域２４１が引き裂かれても、パウチ２の本体側あるいは破断片側に残った封入領域２４１の部分領域に保持された状態とすることができる。このように、情報記録媒体３は包装容器１に一体化された状態で添付されている。
【００３５】
また、情報記録媒体３の筐体を溶着可能な材質で形成しておき、封入領域２４１の、境界線Ｂ−Ｂ’（図２参照）よりもタブ２４ｂ側にある領域の少なくとも一部を占める領域Ｇにおいて、情報記録媒体３を低温でヒートシールを行うなどして胴部フィルムＦ２に軽度に溶着してもよい。このように情報記録媒体３の筐体を胴部フィルムＦ２に溶着した場合には、情報記録媒体３の包装容器１への一体性が強化される。なお、包装容器１を正面視した図２では胴部フィルムＦ１にのみ透明な領域としての透明カバー部分２４１ａが設けられていたが、胴部フィルムＦ２にのみ同様の透明な領域が設けられていてもよいし、胴部フィルムＦ１と胴部フィルムＦ２との両方に透明な領域が設けられていてもよい。
【００３６】
〔情報記録媒体の取り出し／再生および内容物の取り出し〕
図４に、情報記録媒体３を包装容器１から取り出すときの状態を示す。
包装容器１の開封者が、開封ノッチＮ１、貫通孔Ｈ、および開封ノッチＮ２を利用してタブ２４ａをねじり引き抜くように切除すると、情報記録媒体３の封入領域２４１は略境界線Ｂ−Ｂ’に沿って２分割される。このとき、タブ２４ａは破断片となる。開封者が情報記録媒体３を封入領域２４１の外部から摘まむことなくタブ２４ａを切除すれば、コネクタ３ａ側がパウチ２の本体から外部に露出した状態で情報記録媒体３がパウチ２の本体側に残る。しかし、図３のように領域Ｇにおいて情報記録媒体３の筐体が胴部フィルムＦ２すなわちパウチ２に溶着されていれば、開封時のハンドリング状態に関わらず、上記のように情報記録媒体３をパウチ２の本体側に残すことを容易にする。
【００３７】
図５に示すように、開封者は、パウチ２の本体から露出したコネクタ３ａをそのまま、ノート型、携帯型、デスクトップ型、タブレット型などのパーソナルコンピュータ、携帯電話、スマートフォン、ＰＨＳ、電子手帳などの携帯端末、あるいは、パーソナルコンピュータや携帯端末に接続された周辺機器、といった情報再生機器１０のインタフェース・コネクタ１０ａに接続することができる。例えば、情報記録媒体３がＵＳＢメモリであれば、コネクタ３ａはインタフェース・コネクタ１０ａとしてのＵＳＢ接続端子に挿入され、情報記録媒体３がカード型メモリであれば、コネクタ３ａはインタフェース・コネクタ１０ａとしてのカードスロットあるいはカードアダプタに装着される。また、情報記録媒体３がＵＳＢコネクタの付属したカード型メモリであれば、コネクタ３ａはインタフェース・コネクタ１０ａとしてのＵＳＢ接続端子に挿入される。
【００３８】
小型大容量の情報記録媒体３には予め、商品自体の情報、販売メーカーの広告、キャンペーン情報などが格納されている。また、商品に関連した映像、ゲーム等も格納対象となる。情報記録媒体３は、第２の部分２ｂに備えられているので、第１の部分２ａが形成している内容物が充填された空間５０を開封することなく取り出すことが可能である。また、情報記録媒体３がＵＳＢメモリまたはカード型メモリであるので、包装容器１から情報記録媒体３を取り出した開封者は、対応するインタフェース・コネクタ１０ａを標準装備していることが多い身近な情報再生機器１０によって即座に情報を再生して、メッセージや映像を閲覧したりゲームを楽しんだりすることができる。情報記録媒体３は、ＣＤやＤＶＤなどのディスク状の記録媒体のように包装容器に添付するのに嵩張ることはなく、また、従来、包装容器に添付されていたＩＣチップや無線ＩＣタグよりも十分に大きな記憶容量を有している。また、情報記録媒体３が包装容器１に添付されることにより、２次元バーコードなどの読取りマークの読み取りのような面倒な作業やインターネット接続環境も不要である。
【００３９】
また、情報記録媒体３の封入領域２４１において、図２および図３の場合とは逆に、コネクタ３ａ側とは反対側の端部が境界線Ｂ−Ｂ’よりもタブ２４ａ側にある領域に位置するように、また、コネクタ３ａ側の端部が境界線Ｂ−Ｂ’よりもタブ２４ｂ側にある領域に位置するように、封入される情報記録媒体３の向きが設定されていても構わない。この場合には、図６に示すように、包装容器１の開封者が、情報記録媒体３を封入領域２４１の外部から摘まみながらタブ２４ａを切除すると、破断片となったタブ２４ａ側に、コネクタ３ａ側が外部に露出した状態で情報記録媒体３が残りやすい。情報記録媒体３のタブ２４ａ側にある領域で筐体が胴部フィルムＦ２すなわちパウチ２に溶着されていると、情報記録媒体３を上記のように破断片側に残すことを容易にする。
【００４０】
図６の場合にも、開封者は、パウチ２の破断片から露出したコネクタ３ａをそのまま情報再生機器１０のインタフェース・コネクタ１０ａに接続することができる。情報記録媒体３に破断片が付着しているだけであるので、開封者は情報記録媒体３をパウチ２から離れた別の所望する場所で保管することができる。
【００４１】
また、開封者は、図４あるいは図６の状態から、情報記録媒体３を、パウチ２の本体あるいは破断片から引き抜いて、あるいはさらに胴部フィルムＦ２との溶着箇所から引き剥がして、単体で利用することも可能である。この場合にも、情報の再生の容易さおよび迅速さは従来技術として説明したものよりも向上する。開封者は、情報記録媒体３を、パウチ２との一体性を保持した状態で使用するか、単体で使用するかを選択することができる。図６に示す方法は、情報記録媒体３を単体で使用することとほぼ等しい。情報記録媒体３の全体がカードスロット内やアダプタ内に収容されて情報の再生が行われるような場合には、上記のように情報記録媒体３が包装容器１から単体で取り出せると好都合である。また、図６のように破断片に情報記録媒体３を一旦保持してから、カードスロットやアダプタへ装着しながら情報記録媒体３を破断片から押し出して分離するようにしてもよい。
【００４２】
以上により、封入領域２４１が２分割されることにより生じる２つの部分領域のいずれか一方に溶着などによる情報記録媒体３の固着要因が付加されていない状態では、情報記録媒体３を、パウチ２の本体側に残る状態で取り出すか、図６のように破断片側に残る状態で取り出すかがユーザの意志で決定される。２つの部分領域のうちコネクタ３ａ側とは反対側の端部が位置する部分領域に固着要因が付加された状態では、通常はこのような包装容器１の構成に従って、情報記録媒体３が、図４あるいは図６のように取り出される。情報記録媒体３が、封入領域２４１が２分割されることにより生じる２つの部分領域の一方側にコネクタ３ａ側の端部が位置するとともに、コネクタ３ａの情報再生機器１０へ接続される向きが２つの部分領域の他方側から一方側へと向くように、封入領域２４１に封入されていれば、コネクタ３ａ側が露出するように封入領域２４１を破断した場合に、露出したコネクタ３ａをそのまま情報再生機器１０に接続することができる。
【００４３】
開封者は、パウチ２の内容物を取り出すときには、開封ノッチＮ３・Ｎ４を利用して図７に示すように開封領域２１を引き裂き、リクローズチャック２２を開放する。上部シール領域２４が切除された残りの袋部分Ｗは、リクローズチャック２２による再封性が備えられていることから、保存袋として利用することが可能である。
【００４４】
〔包装容器の他の構成〕
また、図３で示したような、情報記録媒体３の封入領域２４１を覆う透明カバー部分２４１ａを、透明な樹脂パーツを用いて構成してもよい。図８には、封入領域２４１の全体を覆う透明カバーとして、セラミックが蒸着されたガスバリア性を有する無色透明の樹脂層（ガスバリア性を有する透明樹脂層）４１を用いる例を示す。樹脂層４１を用いることにより、封入領域２４１内に封入された情報記録媒体３に対して外部から水分や酸素を遮断することができ、情報記録媒体３の材質劣化を防ぐことができる。樹脂層４１は封入領域２４１のみを覆っていてもよいが、封入領域２４１を超えて胴部フィルムＦ１の構成部分として広い範囲に設けられていてもよい。また、樹脂層４１は、胴部フィルムＦ１側のみ、胴部フィルムＦ２側のみ、および、胴部フィルムＦ１側と胴部フィルムＦ２側との両方、のいずれに設けられていてもよい。
【００４５】
また、図８には、上記樹脂層４１を有する透明カバーとして、樹脂層４１の内層側に低温シール層４２が設けられた積層構成を用いる例が示されている。低温シール層４２は、樹脂層４１のシール温度よりも低温で封入領域２４１を形成するヒートシールを行うことができる。樹脂層４１と低温シール層４２との他に、帯電防止層などのさらなる層が備えられていてもよい。樹脂層４１を直接に胴部フィルムＦ２とヒートシールにより接合するには、情報記録媒体３に耐熱温度を超えるような熱を与える虞があるが、低温シール層４２を胴部フィルムＦ２とヒートシールにより接合するようにすれば、情報記録媒体３へ熱損傷を与えることを回避することができる。例えば、ＵＳＢメモリやメモリカードの動作環境温度の上限は数十度〜８５℃程度に設定されている。通常のシール温度では情報記録媒体３が１００℃を超えるような高温に晒されてしまうところを、シーラント層に低温シール層４２を用いることによって、情報記録媒体３のヒートシール時の温度を上記動作環境温度の上限温度以下あるいは上限温度に近い温度にまで抑制することが可能である。低温シール層４２として、例えば、ＬＬＤＰＥやエチレン系アイオノマーを低温シールした層が挙げられる。
【００４６】
あるいは、低温シール層４２を用いる代わりに、情報記録媒体３の筐体の表面に耐熱性樹脂によるコーティングを施してもよい。情報記録媒体３にこのような耐熱コーティングを施せば、封入領域２４１を覆うフィルムを通常のシール温度によってシールを実施しても、情報記録媒体３へ熱損傷を与えることを回避することが可能になる。
【００４７】
〔包装容器の製造方法〕
図１ないし図３で示される包装容器１を製造するには、例えば以下の工程を実施する。（１）まず、凸条２２ａを溶着した胴部フィルムＦ１と、凹条２２ｂを溶着した胴部フィルムＦ２と、底部フィルムＦ３とを用意する。
（２）次に、胴部フィルムＦ１、胴部フィルムＦ２、および、底部フィルムＦ３を接合して、リクローズチャック２２、収容本体領域２３、側部シール領域２５、および、底部シール領域２６を形成する。
（３）そして、開封領域２１およびリクローズチャック２２を通して本体収容領域２３の内部に内容物を充填する。
（４）その後、情報記録媒体３の封入領域２４１に相当する位置に情報記録媒体３を載置し、胴部フィルムＦ１と胴部フィルムＦ２とを接合して上部シール領域２４を形成する。（５）タブ２４ａ・２４ｂを含めてパウチ２の外周の片抜きを行う。
【００４８】
上記の工程（３）および工程（４）の代わりに次の工程（６）および工程（７）を実施してもよい。
（６）開封領域２１の上端側で空間５０に対するトップシールを形成せずに、先に情報記録媒体３を封入領域２４１に封入するように胴部フィルムＦ１と胴部フィルムＦ２とを接合する。
（７）次いで、空間５０に対する未シール部分から本体収容領域２３の内部に内容物を充填し、その後に当該未シール部分をシールすることによりトップシールを形成して上部シール領域２４の形成を完成させる。
【００４９】
また、封入領域２４１に対するカバーを、図８の説明で例示したような、胴部フィルムＦ１とは異なる部材として取り付ける場合には、工程（４）あるいは工程（６）において、当該カバーを溶着する工程を設ければよい。
【００５０】
なお、以上の全ての例では、パウチ２の形態例としてスタンディングパウチ（自立パウチ）を示したが、これは一例であり、平パウチ等の他種類の形状のパウチでも構わない。また、スタンディングパウチでは３枚のフィルムで、平パウチでは２枚のフィルムでそれぞれパウチ全体を構成可能であるが、任意の複数枚のフィルムを接合してパウチを構成するように設計することは自在に可能である。また、パウチ２が口栓を有していても構わない。
【産業上の利用可能性】
【００５１】
本発明の包装容器は、パウチに詰めた食品、飲料品、シャンプー、化粧品などに、販売促進効果や消費者とのコミュニケーション性を付加することに特に利用効果がある。
【符号の説明】
【００５２】
１          包装容器
２          パウチ
２ａ        第１の部分
２ｂ        第２の部分
３          情報記録媒体
３ａ        コネクタ
１０        情報再生機器
２４ａ      タブ（第１のタブ）
２４ｂ      タブ（第２のタブ）
４１        樹脂層（ガスバリア性を有する透明樹脂層）
４２        低温シール層
５０        空間
２４１      封入領域
２４１ａ    透明カバー部分（透明な領域）
Ｅ１        サイドエッジ
Ｆ１        胴部フィルム（フィルム）
Ｆ２        胴部フィルム（フィルム）
Ｆ３        底部フィルム（フィルム）
Ｈ          貫通孔
Ｎ１        開封ノッチ（第１の開封ノッチ）
Ｎ２        開封ノッチ（第２の開封ノッチ）
【図１】
2013056681.tif 000003
【図２】
2013056681.tif 000004
【図３】
2013056681.tif 000005
【図４】
2013056681.tif 000006
【図５】
2013056681.tif 000007
【図６】
2013056681.tif 000008
【図７】
2013056681.tif 000009
【図８】
2013056681.tif 000010
【図９】
2013056681.tif 000011